(57)【要約】【課題】本発明は、作業性の向上を図った根入れブロックを提供することにある。【解決手段】根入れブロック１は、ブロック積擁壁Ｗの基礎を構築するために敷設されるものであり、内部に充填材Ｃが充填される充填空間Ｓ１を有し、充填空間は、設置状態で、上方に開口する上方開口部Ｓ１０を有している。これによれば、設置状態で、例えば、充填材としての生コンクリートＣを、上方の上方開口部から充填空間に注入することができるから、施工作業性の向上を図ることができる。【選択図】図１
2019078015.tif 000002
【特許請求の範囲】
【請求項１】
ブロック積擁壁の基礎を構築するために敷設される根入れブロックであって、
内部に充填材が充填される充填空間を有し、
前記充填空間は、設置状態で、上方に開口する上方開口部を有していることを特徴とする根入れブロック。
【請求項２】
平面視が略矩形状の下面と、
該下面の前端に連続されるとともに上方に向かうにしたがって後方に向けて傾斜する傾斜面と、を有し、
前記下面には、地盤に貫入された矢板の上端部が嵌まる凹溝状の支持凹部が設けられ、
前記支持凹部が、前記下面の前後方向に直交する左右方向に連続形成されているとともに、前記支持凹部の内部空間と前記充填空間は連通するように形成されていることを特徴とする請求項１に記載の根入れブロック。
【請求項３】
平面視が略矩形状の下面を有し、
前記下面の左右方向の両端から立ち上がる側面に、充填材が充填される凹溝部が設けられ、
前記凹溝部は、上方及び左右方向に開口を有して構成されていることを特徴とする請求項１または請求項２に記載の根入れブロック。
【発明の詳細な説明】
【技術分野】
【０００１】
本発明は、根入れブロックに関する。
【背景技術】
【０００２】
従来、河川護岸の損壊防止を目的として、護岸の根入れに用いられる根入れ基礎ブロックが開示されている（例えば、特許文献１参照）。
【０００３】
特許文献１に開示された従来の根入れ基礎ブロックは、厚板状部材から成る本体部と、該本体部を斜めに傾いた状態で支持する側面視が三角形状の支持部と、を一体に備えて構成されている。支持部には、本体部とは反対側の後面が開口する凹部が形成されている。
【０００４】
このような従来の根入れ基礎ブロックは、設置後、凹部に土砂を詰めることで、基礎として必要な重量が確保される。
【先行技術文献】
【特許文献】
【０００５】
【特許文献１】特開２００６−３４２５２１号公報
【発明の概要】
【発明が解決しようとする課題】
【０００６】
このような従来の根入れ基礎ブロックの凹部は支持部の後面が開口しているため、土砂を詰める際の施工作業性が悪かった。
【０００７】
本発明の目的は、施工作業性の向上を図った根入れブロックを提供することにある。
【課題を解決するための手段】
【０００８】
本発明は、ブロック積擁壁の基礎を構築するために敷設される根入れブロックであって、内部に充填材が充填される充填空間を有し、前記充填空間は、設置状態で、上方に開口する上方開口部を有している。
【０００９】
以上のような本発明によれば、根入れブロックが、内部に充填材が充填される充填空間を有し、前記充填空間は、設置状態で、上方に開口する上方開口部を有している。これによれば、設置状態で、例えば、充填材としての生コンクリートを、上方に開口する上方開口部から充填空間に注入することができるから、施工作業性の向上を図ることができる。
【００１０】
また、平面視が略矩形状の下面と、該下面の前端に連続されるとともに上方に向かうにしたがって後方に向けて傾斜する傾斜面と、を有し、前記下面には、地盤に貫入された矢板の上端部が嵌まる凹溝状の支持凹部が設けられ、前記支持凹部が、前記下面の前後方向に直交する左右方向に連続形成されているとともに、前記支持凹部の内部空間と前記充填空間は連通するように形成されていることが好ましい。これによれば、充填材としての生コンクリートを、上方に開口する上方開口部から充填空間に注入することで、支持凹部の内部空間に生コンクリートが流れ込む。こうして、矢板が根入れブロックに一体化される。
【００１１】
また、平面視が略矩形状の下面を有し、前記下面の左右方向の両端から立ち上がる側面に、充填材が充填される凹溝部が設けられ、前記凹溝部は、上方及び左右方向に開口を有して構成されていることが好ましい。これによれば、複数の根入れブロックが左右方向に並んで複数設けられた状態で、充填材としての生コンクリートを凹溝部の上方の開口から注入することで、施工作業性よく、隣接する根入れブロック同士の連結を強固にすることができる。
【発明の効果】
【００１２】
本発明によれば、施工作業性の向上を図ることができる。
【図面の簡単な説明】
【００１３】
【図１】本発明の第１実施形態の根入れブロックが基礎部分に適用されたブロック積擁壁を模式的に示す側面図である。
【図２】前記ブロック積擁壁の基礎部分（根入れブロック）を前方から見た斜視図である。
【図３】前記ブロック積擁壁の基礎部分（根入れブロック）を後方から見た斜視図であり、一部を透過して示す斜視図である。
【図４】前記根入れブロックを前方から見た斜視図であり、その一部を透過して示す図である。
【図５】前記根入れブロックを後方から見た斜視図であり、その一部を透過して示す図である。
【図６】（Ａ）は、前記根入れブロックの側面図であるとともに充填空間を鎖線で示す図であり、（Ｂ）は、図４中のＩ−Ｉ線に沿う断面図であり、（Ｃ）は、図４中のＩＩ−ＩＩ線に沿う断面図である。
【図７】本発明の第２実施形態の根入れブロックとその支持凹部に嵌まった矢板を示す側面図である。
【図８】前記ブロック積擁壁の基礎部分（根入れブロック）を前方から見た斜視図であり、一部を透過して示す斜視図である。
【図９】前記ブロック積擁壁の基礎部分（根入れブロック）を後方から見た斜視図であり、一部を透過して示す斜視図である。
【図１０】（Ａ）は、前記根入れブロックの側面図であるとともに充填空間を鎖線で示す図であり、（Ｂ）は、図８中のＩＩＩ−ＩＩＩ線に沿う断面図であり、（Ｃ）は、図８中のＩＶ−ＩＶ線に沿う断面図である。
【図１１】（Ａ）は、図１に示された根入れブロックの他の変形例を示す側面図であり、（Ｂ）は（Ａ）の斜視図である。
【図１２】図１１に示された根入れブロックが基礎部分に適用されたブロック積擁壁を模式的に示す側面図である。
【図１３】図１に示された根入れブロックの変形例を示す側面図である。
【発明を実施するための形態】
【００１４】
（第１実施形態）
以下、本発明の第１実施形態に係る根入れブロック１を、図１〜図６を参照して説明する。図１は、本発明の第１実施形態の根入れブロック１が基礎部分に適用されたブロック積擁壁Ｗを模式的に示す側面図であり、図２は、前記根入れブロック１を前方から見た斜視図であり、図３は、前記根入れブロック１を後方から見た斜視図であり、一部を透過して示す斜視図である。
【００１５】
根入れブロック１は、図１〜図３に示すように、ブロック積み工法により構築されるブロック積擁壁Ｗの基礎部分を構築するためのものである。図１において、積ブロックに符号Ｂを付与する。根入れブロック１は、ブロック積みを行う際、ブロック積み下部位置の根入れ部分の基礎採削を行い、所定の根入れ深さ、幅となるように床堀し、地業を行った後、据付け（設置）される。根入れブロック１は、平面視が長方形状（矩形状）の下面１Ａが、略水平（ＸＺ方向）となるように設置される。なお、図面において、下面１Ａの長辺方向を矢印Ｚで示し「左右方向」と記し、短辺方向を矢印Ｘで示し「前後方向」と記し、矢印Ｚと矢印Ｘに直交する方向を矢印Ｙで示し「上下方向」と記す場合がある。
【００１６】
根入れブロック１は、図４、図６に示すように、ブロック本体１０と、上方に向かうにしたがって後方に向けて所定の角度θ１（図６）だけ傾斜する傾斜面２０Ｃを有する前方側板状部２０と、ブロック本体１０を挟んで前方側板状部２０と反対側に設けられる後方側板状部３０と、を一体に備えて構成されている。根入れブロック１には、生コンクリートＣ（充填材）が充填される複数（図示例では２個）生コンクリート充填空間Ｓ１，Ｓ１（充填空間）と、その側面１Ｃ（図４に示す）に形成されて、左右に隣接する根入れブロック１同士の連結を強固にするための凹溝部２１と、が形成されている。
【００１７】
根入れブロック１は、  略水平（ＸＺ方向）に設置される平面視が長方形状（矩形状）の下面１Ａを有している。下面１Ａは、ブロック本体１０の一部である平面視が長方形状のブロック下面１０Ａと、下面１Ａ本体の前方に連続される長方形状の前方側下面２０Ａと、下面１Ａ本体の後方に連続される長方形状の後方側下面３０Ａと、を有して構成されている。ブロック下面１０Ａ、前方側下面２０Ａ及び後方側下面３０Ａは、同一平面上に位置するように形成されている。
【００１８】
ブロック本体１０は、平面視が長方形状のブロック下面１０Ａと、ブロック下面１０Ａに対向する平面視が長方形状のブロック上面１０Ｂと、ブロック下面１０Ａとブロック上面１０Ｂの各短辺に連続される一対のブロック側面１０Ｃと、を有している。一対のブロック側面１０Ｃは、前方側板状部２０及び後方側板状部３０の後述する各上面２０Ｂ、３０Ｂに対して、略垂直になるように設けられている。各ブロック側面１０Ｃは、前方側斜辺１０Ｃ１と、後方側斜辺１０Ｃ２と、を有している。前方側斜辺１０Ｃ１は、前方側板状部２０の傾斜面２０Ｃと略同じ角度θ１だけブロック下面１０Ａに対して傾斜して直線状に設けられている。後方側斜辺１０Ｃ２は、ブロック下面１０Ａに対して略垂直に立ち上がる下側側辺１０Ｃ２１と、下側側辺１０Ｃ２１の上方に連続されるとともに前方側斜辺１０Ｃ１に対して略一定の離間寸法を有して延在する上側側辺１０Ｃ２２と、を有している。下側側辺１０Ｃ２１と上側側辺１０Ｃ２２の境界位置は、根入れブロック１の重心Ｐより上方に位置している。
【００１９】
前方側板状部２０及び後方側板状部３０は、ブロック上面１０Ｂから上方に突出して設けられている。前方側板状部２０及び後方側板状部３０の各上面２０Ｂ、３０Ｂは、同一平面上に位置するように形成されている。前方側板状部２０及び後方側板状部３０は、それぞれ、上端から下端まで、板厚寸法が略等しい寸法となるように形成されている。
【００２０】
前方側板状部２０の傾斜面２０Ｃは、前方側下面２０Ａの前端に連続して形成されたものであり、その全体にハツリ模様が形成されている。
【００２１】
後方側板状部３０は、下側側辺１０Ｃ２１を有する下側板状部３１と、上側側辺１０Ｃ２２を有する上側板状部３２と、とを一体に備えて構成されている。即ち、上側板状部３２は、下側板状部３１に対して所定の角度を有して連続形成されている。上側板状部３２の下面１Ａに対する傾斜角と、前方側板状部２０の下面１Ａに対する傾斜角は、略等しい角θ１となるように形成されている。
【００２２】
さらに根入れブロック１には、上方及び左右方向に開口を有する上側凹部２が形成されている。上側凹部２は、ブロック本体１０のブロック上面１０Ｂと、ブロック上面１０Ｂに連続されるとともに前方側板状部２０の突出した後面２０ａと、各ブロック側面１０Ｃに連続されるとともに後方側板状部３０の突出した前面３０ａと、を有して上側凹部２が構成される。
【００２３】
各生コンクリート充填空間Ｓ１，Ｓ１は、図４〜図６に示すように、ブロック本体１０のブロック下面１０Ａ及びブロック上面１０Ｂを貫通して形成されている。また、各生コンクリート充填空間Ｓ１，Ｓ１は、根入れブロック１の下面１Ａに対して、傾斜面２０Ｃの傾斜角と略同じ角度θ１となるように貫通して設けられている。また、各生コンクリート充填空間Ｓ１，Ｓ１は、略水平に設置された状態で、上方に開口する上方開口部Ｓ１０（上方開口部）と、下方に開口する下方開口部Ｓ１１と、を有している。また、上方開口部Ｓ１０及び下方開口部Ｓ１１は、平面視が長方形状に形成されていて、上方開口部Ｓ１０の左右方向の寸法は、下方開口部Ｓ１１の左右方向の寸法より小さくなるように形成されている。また、上方開口部Ｓ１０の前後方向の寸法は、下方開口部Ｓ１１の前後方向の寸法より小さくなるように形成されている。
【００２４】
また、各コンクリート充填空間Ｓ１、Ｓ１は、前後方向及び左右方向に位置する４つの内面Ｓ１２、Ｓ１３、Ｓ１４、Ｓ１４を有して形成されている。４つの内面Ｓ１２、Ｓ１３、Ｓ１４、Ｓ１４のうち前方に位置する内面Ｓ１２は、前方から見て略等脚台形状となるように形成されているとともに、ブロック上面１０Ｂの前端からブロック下面１０Ａの前端まで連続して設けられている。後方に位置する内面Ｓ１３は、下方側内面Ｓ１３１と、下方側内面Ｓ１３１に対して所定の角度を有して傾斜する上方側内面Ｓ１３２と、を有して構成されている。下方側内面Ｓ１３１は、ブロック下面１０Ａに対して略直交して設けられている。また、上方側内面Ｓ１３２は、上方に向かうにしたがって、前方に位置する内面Ｓ１２に徐々に近づくように傾斜して設けられている。また、左右方向の両内面Ｓ１４、Ｓ１４は、ブロック下面１０Ａに対して略直交して設けられている。
【００２５】
凹溝部２１は、前方側板状部２０及び後方側板状部３０がブロック本体１０の各ブロック側面１０Ｃから左右方向に突出して設けられることで形成されたものである。凹溝部２１は、ブロック本体１０の各ブロック側面１０Ｃと、各ブロック側面１０Ｃに連続されるとともに前方側板状部２０の突出した後面２０Ｄと、各ブロック側面１０Ｃに連続されるとともに後方側板状部３０の突出した前面３０Ｄと、を有して構成されている。この凹溝部２１は、上端から下端まで連続形成されているとともに、上方、下方及び左右方向に開口を有して構成されている。このような凹溝部２１には、図２、図３に示すように、根入れブロック１が左右方向に並んで設置された後、その上方の開口から生コンクリートＣ（充填材）が注入される。これにより、隣接する根入れブロック１同士の連結が強固にされる。
【００２６】
このような根入れブロック１は、例えば、ブロック積擁壁Ｗの基礎部分を構築するために、水を堰き止めた後、基礎採削を行い、所定の根入れ深さ、幅となるように床堀して、地業を行った後、根入れブロック１を据え付ける。この際、根入れブロック１が、図２、図３に示すように、傾斜面２０Ｃの長辺方向に連続するように設置する。なお、図２に示すように、根入れブロック１がカーブを描くように設置していてもよく、図３に示すように、根入れブロック１が直線上に並ぶように設置していてもよい。
【００２７】
この後、生コンクリートＣをコンクリート充填空間Ｓ１の上方開口部Ｓ１０から注入する。コンクリート充填空間Ｓ１に生コンクリートＣが打設された後、凹溝部２１内に、生コンクリートＣが打設される。生コンクリートＣを硬化させた後、河床を埋め戻す。こうして、ブロック積擁壁Ｗの基礎を構築する。ブロック積擁壁Ｗを構成する積ブロックＢとして、間知ブロック、環境保全型ブロック、植栽ブロック等を用いてもよい。
【００２８】
上述した実施形態によれば、根入れブロック１が、内部に生コンクリートＣ（充填材）が充填されるコンクリート充填空間Ｓ１（充填空間）を有し、コンクリート充填空間Ｓ１（充填空間）は、設置状態で、上方に開口する上方開口部Ｓ１０を有している。これによれば、設置状態で、例えば、充填材としての生コンクリートＣを、上方開口部Ｓ１０からコンクリート充填空間Ｓ１に注入することができるから、施工作業性の向上を図ることができる。
【００２９】
また、平面視が略矩形状の下面１Ａを有し、下面１Ａの左右方向の両端から立ち上がる側面１Ｃに、生コンクリートＣ（充填材）が充填される凹溝部２１が設けられ、凹溝部２１は、上方及び左右方向に開口を有して構成されている。これによれば、図２、図３に示すように、複数の根入れブロック１が左右方向に並んで複数設けられた状態で、充填材としての生コンクリートＣを凹溝部２１の上方の開口から注入することで、施工作業性よく、隣接する根入れブロック１同士の連結を強固にすることができる。
【００３０】
（第２実施形態）
以下、本発明の第２実施形態に係る根入れブロック１１を、図７〜図１０を参照して説明する。図７は、本発明の第２実施形態の根入れブロック１１とその支持凹部２２に嵌まった鋼矢板２３を示す側面図である。図８は、前記ブロック積擁壁Ｗの基礎部分（根入れブロック１１）を前方から見た斜視図であり、一部を透過して示す斜視図である。なお、図７〜図１０において、第１実施形態と略同一機能乃至略同一構成を有する部材には、同一符号を付して、その説明を省略する。
【００３１】
第２実施形態の根入れブロック１１には、地盤に貫入された鋼矢板２３の上端部が嵌まる支持凹部２２が設けられている。支持凹部２２は、ブロック下面１０Ａから凹溝状に形成されているとともに左右方向に延在形成されていている。支持凹部２２は、根入れブロック１１の下面１Ａと略平行に設けられて、鋼矢板２３の上方の端面２３Ａが当接する支持上面２２Ａと、支持上面２２Ａの前端に連続されるとともに下方に向かうにしたがって前方に向けて傾斜した前方側内面２２Ｂと、支持上面２２Ａの後端に連続されるとともに下方に向かうにしたがって後方に向けて傾斜した後方側内面２２Ｃと、を有して構成されている。支持凹部２２を形成する支持上面２２Ａ、前方側内面２２Ｂ及び後方側内面２２Ｃは、コンクリート充填空間Ｓ１の左右方向の各内面Ｓ１４、Ｓ１４に連続されている。即ち、支持凹部２２の内部空間とコンクリート充填空間Ｓ１は、左右方向に連通して設けられている。
【００３２】
これによれば、充填材としての生コンクリートＣを、上方開口部Ｓ１０（上方開口部）からコンクリート充填空間Ｓ１（充填空間）に注入することで、コンクリート充填空間Ｓ１（充填空間）や支持凹部２２の内部空間に生コンクリートＣが流れ込む。この後、生コンクリートＣが硬化されることで、鋼矢板２３が根入れブロック１１に一体化される。
【００３３】
なお、本発明は、前記実施形態に限定されるものではなく、本発明の目的が達成できる他の構成等を含み、以下に示すような変形例も本発明に含まれる。
【００３４】
前記実施形態では、根入れブロック１、１１は、河川の護岸工事に用いられるものの一例として説明しているが、本発明はこれに限定されるものではない。根入れブロックは、種々のブロック積擁壁Ｗの基礎を構築するために敷設される根入れブロックであってもよい。
【００３５】
前記実施形態では、前方側板状部２０及び後方側板状部３０の各上面２０Ｂ、３０Ｂは、同一平面上に位置するように形成されているが、本発明はこれに限定されるものではない。根入れブロック１２は、図１１、図１２に示すように、後方側板状部３０の上端部を切り欠いて上面３０Ｂ１を形成して、法面の勾配を２割勾配Ｐ１にしたり、１割５分勾配Ｐ２にしたり、１割勾配Ｐ３にするように形成してもよい。または、図１３に示すように、後方側板状部３０の上端部に生コンクリートＣで段部を形成して、法面の勾配を５分勾配Ｐ４にしたり、４分勾配Ｐ５にしたり、３分勾配Ｐ６にしてもよく、水平積みＰ７にしてもよい。なお、図１１〜図１３において、第１実施形態と略同一機能乃至略同一構成を有する部材には、同一符号を付して、その説明を省略する。
【００３６】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想及び、目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００３７】
１、１１、１２    根入れブロック
１Ａ        下面
１Ｃ        側面
２０Ｃ      傾斜面
２１        凹溝部
Ｗ          ブロック積擁壁
Ｃ          生コンクリート（充填材）
Ｓ１        コンクリート充填空間（充填空間）
Ｓ１０      上方開口部
２２        支持凹部
２３        矢板
【図１】
2019078015.tif 000003
【図２】
2019078015.tif 000004
【図３】
2019078015.tif 000005
【図４】
2019078015.tif 000006
【図５】
2019078015.tif 000007
【図６】
2019078015.tif 000008
【図７】
2019078015.tif 000009
【図８】
2019078015.tif 000010
【図９】
2019078015.tif 000011
【図１０】
2019078015.tif 000012
【図１１】
2019078015.tif 000013
【図１２】
2019078015.tif 000014
【図１３】
2019078015.tif 000015